(57)【要約】【課題】向きを気にすることなく載置した充電器台によりバッテリーの充電を可能とする携帯端末（例、携帯電話機）を提供する。【解決手段】厚さが薄い直方体形状の筐体を形成する携帯電話機１０の外壁面のうち、面積が狭い底面３の中心に、第１の極性の第１の充電端子１１の中心を配置し、第１の充電端子１１の中心から見て、底面３の長手方向の互いにシンメトリックな位置に、第１の極性とは異なる第２の極性の第２、第３の充電端子１２，１３を配置する。一方、携帯端末１０を載置する充電器台５０の載置溝の底面上において、携帯端末１０の充電端子１１〜１３それぞれと当接する位置に、充電端子１１〜１３それぞれと同一極性の充電端子５１〜５３を配置する。而して、携帯電話機１０の向きを変えて、蓋部２側の背面ＬＣＤ２１を正面に向けて充電器台５０に載置しても、本体部１側のカメラ１７を正面に向けて充電器台５０に載置しても充電することができる。【選択図】        図３
2011087059.tif 000002
【特許請求の範囲】
【請求項１】
直方体形状の筐体を形成する外壁面のいずれかの外壁面を、充電端子配置外壁面として、該充電端子配置外壁面に、内蔵のバッテリーを充電するための充電端子を多端子構成にして配置する携帯端末であって、前記充電端子が、第１の極性の充電端子と前記第１の極性とは異なる第２の極性の充電端子とからなり、同一極性の前記充電端子同士を前記充電端子配置外壁面の中心に対して互いにシンメトリックな位置に配置することを特徴とする携帯端末。
【請求項２】
前記充電端子が、第１の充電端子として前記第１の極性を有する１個の充電端子と第２、第３の充電端子として前記第２の極性を有する２個の充電端子との３端子構成であり、前記第１の充電端子の中心が、前記充電端子配置外壁面の中心に位置するように配置され、前記第２、第３の充電端子が、前記第１の充電端子の中心から見て、前記充電端子配置外壁面上の互いにシンメトリックな位置に配置されていることを特徴とする請求項１に記載の携帯端末。
【請求項３】
前記筐体が、厚さが薄い直方体形状の筐体からなり、当該筐体を形成する各外壁面のうち、面積が狭い底面に、前記充電端子配置外壁面として、３端子構成の前記第１ないし第３の充電端子が配置され、該底面の中心に前記第１の充電端子の中心が配置され、前記第１の充電端子の中心から見て、該底面の長手方向の互いにシンメトリックな位置に前記第２、第３の充電端子を配置することを特徴とする請求項２に記載の携帯端末。
【請求項４】
前記筐体を形成する各外壁面のうち、面積が広い表面および背面は、ユーザ向け機能配置用外壁面として、ユーザが使用する液晶表示装置、操作キーのいずれかを少なくとも含む部材が配置されていることを特徴とする請求項３に記載の携帯端末。
【請求項５】
前記筐体が、本体部と蓋部とからなり、該本体部と該蓋部とをヒンジにより回動自在な状態で連結した折り畳み式の構造からなることを特徴とする請求項３または４に記載の携帯端末。
【請求項６】
前記筐体を形成する各外壁面のうち、面積が広い表面および背面の双方に液晶表示装置を少なくとも備えた両画面構成の構造からなることを特徴とする請求項３または４に記載の携帯端末。
【請求項７】
内蔵の前記バッテリーを充電する充電器台に当該携帯端末を載置する際に、当該携帯端末を前記充電器台に立架した状態で載置するか、または、当該携帯端末を前記充電器台に横臥した状態で載置することを特徴とする請求項１ないし６のいずれかに記載の携帯端末。
【請求項８】
直方体形状の筐体を有する携帯端末に備えた充電端子を充電器台の充電端子と当接させることにより、前記携帯端末に内蔵のバッテリーを充電する仕組みを有する携帯端末充電システムであって、前記携帯端末は、当該携帯端末の筐体を形成する外壁面のいずれかの外壁面を、充電端子配置外壁面として、該充電端子配置外壁面に、前記充電端子を多端子構成にして配置し、かつ、前記充電端子が、第１の極性の充電端子と前記第１の極性とは異なる第２の極性の充電端子とからなり、同一極性の前記充電端子同士を前記充電端子配置外壁面の中心に対して互いにシンメトリックな位置に配置し、また、前記充電器台が、前記携帯端末を載置する載置面上に、前記携帯端末の前記充電端子配置外壁面に配置した前記充電端子それぞれと当接する位置にそれぞれの前記充電端子と同一極性の充電器台側充電端子を配置していることを特徴とする携帯端末充電システム。
【請求項９】
前記携帯端末の前記充電端子が、第１の充電端子として前記第１の極性を有する１個の充電端子と第２、第３の充電端子として前記第２の極性を有する２個の充電端子との３端子構成であり、前記第１の充電端子の中心が、前記充電端子配置外壁面の中心に位置するように配置され、前記第２、第３の充電端子が、前記第１の充電端子の中心から見て、前記充電端子配置外壁面上の互いにシンメトリックな位置に配置されていることを特徴とする請求項８に記載の携帯端末充電システム。
【請求項１０】
前記携帯端末の筐体が、厚さが薄い直方体形状の筐体からなり、当該筐体を形成する各外壁面のうち、面積が狭い底面に、前記充電端子配置外壁面として、３端子構成の前記第１ないし第３の充電端子が配置され、該底面の中心に前記第１の充電端子の中心が配置され、前記第１の充電端子の中心から見て、該底面の長手方向の互いにシンメトリックな位置に前記第２、第３の充電端子を配置することを特徴とする請求項９に記載の携帯端末充電システム。
【請求項１１】
前記充電器台に前記携帯端末を載置する際に、前記携帯端末を前記充電器台に立架した状態で載置するか、または、前記携帯端末を前記充電器台に横臥した状態で載置することを特徴とする請求項８ないし１０のいずれかに記載の携帯端末充電システム。
【請求項１２】
前記充電器台に前記携帯端末を載置する載置面が、前記携帯端末の一部または全てを嵌め込む載置溝からなっていることを特徴とする請求項８ないし１１のいずれかに記載の携帯端末充電システム。
【請求項１３】
前記充電器台の前記載置溝の側面に、前記携帯端末の載置をガイドする筐体呼び込み凸部を備え、前記携帯端末の側面に前記筐体呼び込み凸部に嵌合する筐体呼び込み凹部を備えていることを特徴とする請求項１２に記載の携帯端末充電システム。
【請求項１４】
直方体形状の筐体を有する携帯端末に備えた充電端子を充電器台の充電端子と当接させることにより、前記携帯端末に内蔵のバッテリーを充電する携帯端末充電方法であって、前記携帯端末は、当該携帯端末の筐体を形成する外壁面のいずれかの外壁面上に、充電端子配置外壁面として、前記充電端子を多端子構成にして配置し、かつ、同一極性の前記充電端子同士を前記充電端子配置外壁面の中心に対して互いにシンメトリックな位置に配置し、また、前記充電器台が、前記携帯端末を載置する載置面上に、前記携帯端末の前記充電端子配置外壁面に配置した前記充電端子それぞれと当接する位置にそれぞれの前記充電端子と同一極性の充電器台側充電端子を配置することにより、前記携帯端末の向きを変えて前記充電器台に載置しても前記バッテリーを充電することができることを特徴とする携帯端末充電方法。
【発明の詳細な説明】
【技術分野】
【０００１】
本発明は、携帯端末、携帯端末充電システムおよび携帯端末充電方法に関する。
【背景技術】
【０００２】
コードレス電話子機のバッテリーの充電を行う際に、当該コードレス電話子機を充電器台に載置し、無接点充電方式で充電する構成が、例えば、特許文献１の特開２００７−２１５１３１号公報「コードレス電話装置」などに記載されている。かくのごとく、コードレス電話子機の充電方法としては、無接点充電方式を採用することができるので、充電器台に載置するコードレス電話子機の向きを、３６０°のいずれの方向に載置するようにしても充電することができる。このため、例えば、シャープ製のデジタルコ−ドレス電話機“ＪＤ−Ｓ１０ＣＬ／ＪＤ−Ｓ１０ＣＷ”のカタログにも、“置くだけできちんと充電できる「３６０°」無接点充電方式”との標語が掲載されている。
【０００３】
一方、携帯電話機の場合、充電電流値、消費電流値が、コ−ドレス電話子機と比べて大きく、また、無接点充電方式の電力伝送効率が低いため、携帯電話機には、無接点充電方式は採用されていない。また、前記特許文献１の図３に示されているように、コ−ドレス電話子機の厚さが２８ｍｍと厚いのに対して、携帯電話機の厚さは、既に発売済みのＮＥＣ製の携帯電話機“Ｎ７０５ｉ”であっても、８ｍｍと大幅に薄くなっており、コ−ドレス電話子機と同じ充電構造を適応することができないという状況にある。つまり、携帯電話機を始め一般の携帯端末の場合、バッテリーを充電する充電方式として、無接点充電方式を適用することができないことが多い。
【０００４】
（現状の携帯電話機の充電端子の構成）
次に、現状の携帯電話機の充電端子の構成について、図９および図１０を用いて説明する。
【０００５】
ここに、図９は、現状の携帯電話機の充電端子の配置の一例を示す模式図であり、薄い厚さからなる直方体形状の筐体構造を有する携帯電話機の底面に２端子構成の充電端子を配置している様子を示している。また、図１０は、現状の携帯電話機として折り畳み式携帯電話機を用いた場合に、折り畳み式携帯電話機を充電器台に載置した際の折り畳み式携帯電話機と充電器台との位置関係を説明するための説明図であり、図１０（Ａ）は、蓋部を折り畳んだ状態で充電器台に載置した折り畳み式携帯電話機の蓋部の背面方向から眺めた正面図を示し、図１０（Ｂ）は、充電器台に載置した折り畳み式携帯電話機の側面方向から眺めた側面図を示している。
【０００６】
図９に示すように、現状の携帯電話機１０ａ（折り畳み式携帯電話機）の本体部１ａは、厚さが薄い直方体形状の筐体構造からなり、各矩形形状の外壁面のうち、表面積が広い表面や背面は、ユーザが使用する液晶表示装置や操作キーやカメラ等の部材が搭載されるユーザ向け機能配置用外壁面とし、一方、最も狭い表面積となる底面３ａは、充電端子を配置する充電端子配置外壁面とする。底面３ａには、電極の極性がプラス（＋）とマイナス（−）との２端子構成の充電端子を備え、底面３ａの左右の横幅方向（長手方向）に、電極の極性がプラス（＋）の充電端子１１ａとマイナス（−）の充電端子１２ａとが配置されて構成されている。
【０００７】
ここで、携帯電話機１０ａの本体部１ａの底面３ａの厚さ（短手方向の幅）をＨ、底面３ａの横幅（長手方向の幅）をＬとし、充電端子１１ａ，１２ａの電極のサイズをプラス（＋）、マイナス（−）の極性のいずれも縦（厚み方向）をＹＡ１、横（長手方向）をＸＡ１とした場合、図９に示すように、電極の極性がプラス（＋）の充電端子１１ａとマイナス（−）の充電端子１２ａとは、携帯電話機１０ａの本体部１ａの底面３ａの厚み方向（短手方向）に関しては、それぞれの中心が、厚さＨの（１／２）の中央の位置にあり、本体部１ａの底面３ａの厚み方向（短手方向）の上下それぞれの端部から、いずれも、Ｙ１の距離に、充電端子１１ａ，１２ａの下側・上側の端部が位置している。つまり、
Ｈ＝２・Ｙ１＋ＹＡ１
の関係にある。
【０００８】
一方、充電端子１１ａ，１２ａそれぞれの携帯電話機１０ａの本体部１ａの底面３ａの横方向（長手方向）に関しては、充電端子１１ａ，１２ａそれぞれの内側の端部の間の距離は、Ｘ２であるが、両者は、底面３ａの中心に対して横方向（長手方向）にシンメトリックな位置関係にあり、充電端子１１ａ，１２ａそれぞれの外側の端部は、本体部１ａの底面３ａの横方向（長手方向）の左右それぞれの端部から、いずれも、Ｘ１の距離に位置している。つまり、
Ｌ＝２・Ｘ１＋２・ＸＡ１＋Ｘ２
の関係にある。
【０００９】
図９に示すようなプラス（＋）、マイナス（−）の極性の２端子構成の充電端子１１ａ，１２ａを底面３ａに備えた携帯電話機１０ａに内蔵されたバッテリーを充電するために、充電器台５０ａに載置する場合、携帯電話機１０ａと充電器台５０ａとは、バッテリーの充電を可能にするためには、互いに充電端子の電極同士の極性が一致するように、図１０に示すような位置関係にすることが必要である。
【００１０】
つまり、図１０（Ａ）の正面図に示すように、折り畳み式の携帯電話機１０ａの蓋部２ａを本体部１ａ側に閉じ、かつ、蓋部２ａの背面側の背面ＬＣＤ（Liquid Crystal Display）２１ａを正面に向けた状態で、携帯電話機１０ａの本体部１ａの側面に備えた筐体呼び込み凹部４ａを充電器台５０ａの載置溝の側面に形成されている筐体呼び込み凸部５４ａに沿うように嵌め込んでいくことにより、携帯電話機１０ａが立架した状態で、その底面３ａを充電器台５０ａの載置溝の底面に当接させる。かくのごとく、背面ＬＣＤ２１ａを正面に向けるような方向性を持たせて、携帯電話機１０ａを充電器台５０ａ上に載置することによって、携帯電話機１０ａの本体部１ａの底面３ａに配置されているプラス（＋）極性の充電端子１１ａと充電器台５０ａに配置されているプラス（＋）極性の充電端子５１ａとが当接し、マイナス（−）極性の充電端子１２ａと充電器台５０ａに配置されているマイナス（−）極性の充電端子５２ａとが当接する状態になる。而して、携帯電話機１０ａに内蔵のバッテリーを充電することができる。
【００１１】
ここで、図１０（Ｂ）の側面図に示すように、折り畳み式の携帯電話機１０ａはヒンジ２５ａを介して蓋部２ａを本体部１ａ側に回動させて閉じた状態にした場合に、携帯電話機１０ａを充電器台５０ａの載置溝に嵌め込んで載置することができるように、充電器台５０ａの載置溝は、本体部１ａの厚さＨと蓋部の暑さＨ１とを合計した厚さ（Ｈ＋Ｈ１）を越える厚み方向（短手方向）の溝幅を有しており、携帯電話機１０ａを載置した状態では、携帯電話機１０ａの本体部１ａの底面３ａに配置された充電端子１１ａ（１２ａ）と充電器台５０ａの載置溝の底面に配置された充電端子５１ａ（５２ａ）とが当接した状態になる。
【先行技術文献】
【特許文献】
【００１２】
【特許文献１】特開２００７−２１５１３１号公報（第６−８頁）
【発明の概要】
【発明が解決しようとする課題】
【００１３】
無接点充電方式を適用することができない携帯端末の一例である、携帯電話機を充電器台に載置して充電しようとする場合、充電器台の充電端子と携帯電話機の充電端子との同一極性（＋／−）同士を互いに当接させて密着させることが必要であり、この結果、必然的に、充電器台に載置する携帯電話機の向きが決まってしまう。したがって、携帯電話機の向きをまず定めてから充電器台に載置することが必要になってしまうので、充電時における充電器台への携帯電話機の載置操作にユーザは煩わしさを感じていた。
【００１４】
本発明は、かかる事情に鑑みてなされたものであり、携帯電話機等の携帯端末のバッテリーの充電を行う際に、携帯端末の向きを気にすることなく、充電器台に載置して充電することが可能な構造を有する携帯端末、携帯端末充電システムおよび携帯端末充電方法を提供することを、その目的としている。
【課題を解決するための手段】
【００１５】
前述の課題を解決するため、本発明による携帯端末は、次のような特徴的な構成を採用している。
【００１６】
（１）直方体形状の筐体を形成する外壁面のいずれかの外壁面を、充電端子配置外壁面として、該充電端子配置外壁面に、内蔵のバッテリーを充電するための充電端子を多端子構成にして配置する携帯端末であって、前記充電端子が、第１の極性の充電端子と前記第１の極性とは異なる第２の極性の充電端子とからなり、同一極性の前記充電端子同士を前記充電端子配置外壁面の中心に対して互いにシンメトリックな位置に配置する携帯端末。
【発明の効果】
【００１７】
本発明の携帯端末、携帯端末充電システムおよび携帯端末充電方法によれば、以下のような効果を奏することができる。
【００１８】
本発明の携帯電話機等の携帯端末の充電端子を多端子構成とし、携帯端末の充電端子配置外壁面上に、同一極性の充電端子同士を該充電端子配置外壁面の中心から見て互いにシンメトリックな位置に配置する筐体構造とする。例えば、充電端子を３端子構成の場合、携帯端末の充電端子配置外壁面とする底面の中心に第１の充電端子の中心が一致するように配置し、かつ、底面の中心に位置する第１の充電端子の中心から見て、携帯端末の底面の長手方向（横幅方向）の互いにシンメトリックな位置に、それぞれ、第２，第３の充電端子を配置する筐体構造とする。さらに、充電器台上の載置面（載置溝の底面）に配置する多端子構成例えば３端子構成の充電端子を、携帯端末側の充電端子の配列に合致させるように配置することにより、携帯端末のバッテリーを充電するために、携帯端末を充電器台に載置する際に、携帯端末のユーザ向け機能配置用外壁面を形成する表面側、背面側のいずれを正面に向けて載置しても、バッテリーを充電することが可能になる。而して、携帯端末の向きを気にすることなく、充電器台に載置して充電させることができ、ユーザの利便性を向上させることができる。
【００１９】
また、本発明に係る携帯端末の新しい携帯端末の形態として、携帯端末の表面側と背面側との両面に液晶表示装置を備えた両画面構成の携帯端末を実現する場合においても、多端子構成例えば３端子構成の充電端子を前述の携帯端末と同様の配置にして、当該携帯端末の充電端子配置外壁面例えば当該携帯端末の底面に備える筐体構造とすることにより、携帯端末のバッテリーを充電するために、携帯端末を充電器台に載置する際に、携帯端末のユーザ向け機能配置用外壁面を形成する表面側と背面側とのいずれを正面に向けて載置しても、バッテリーを充電することができる。而して、携帯端末の表面側、背面側のいずれの液晶表示装置であっても、ユーザが使用する液晶表示装置を正面に向けた状態にして充電器台に載置することができ、両画面構成の携帯端末のコンセプトとして、充電時における利用価値を付与することができる。
【図面の簡単な説明】
【００２０】
【図１】本発明に係る携帯端末の一例である携帯電話機の充電端子の配置の一例を示す模式図である。
【図２】図１に示す携帯電話機の一例として、折り畳み式携帯電話機の構造を示す模式図である。
【図３】図２に示す折り畳み式携帯電話機を充電器台に載置した際の折り畳み式携帯電話機と充電器台との位置関係を説明するための説明図である。
【図４】本発明に係る携帯端末の他の例として図２の折り畳み式携帯電話機とは異なる例の携帯電話機の構造を示す模式図である。
【図５】図４に示す両画面構成の携帯電話機を充電器台に載置した際の携帯電話機と充電器台との位置関係を説明するための説明図である。
【図６】図１、図２に示す携帯電話機の内部構成の一例を示すブロック構成図である。
【図７】図６に示す携帯電話機の充電制御ＩＣの内部構成の一例を示すブロック構成図である。
【図８】図１、図２に示す携帯電話機のバッテリーへ供給する充電電流特性の一例を示す特性図である。
【図９】現状の携帯電話機の充電端子の配置の一例を示す模式図である。
【図１０】図９に示す携帯電話機を充電器台に載置した際の携帯電話機と充電器台との位置関係を説明するための説明図である。
【発明を実施するための形態】
【００２１】
以下、本発明による携帯端末、携帯端末充電システムおよび携帯端末充電方法の好適な実施例について添付図を参照して説明する。なお、本発明による携帯端末は、筐体を充電器台に載置して、筐体内に実装されているバッテリーを充電する端末であれば、如何なる携帯端末であっても適用することができる。例えば、携帯電話機であっても良いし、ＰＨＳ（Personal Hand-phone System）端末や携帯情報機器（ＰＤＡ：Personal Digital Assistants）や携帯音楽機器やデジタルカメラであっても良い。以下の実施形態の説明においては、携帯端末の一例として携帯電話機を例にとって説明する。また、本発明による携帯端末充電システムとは、携帯端末の向きを一つの向きに固定することなく、充電器台に載置して、携帯端末に備えた充電端子を充電器台の充電端子と当接させることにより、携帯端末に内蔵のバッテリーを充電する仕組みを提供するシステムである。
【００２２】
（本発明の特徴）
本発明の実施形態の説明に先立って、本発明の特徴についてその概要をまず説明する。本発明は、携帯電話機等の携帯端末において、内蔵のバッテリーを充電するために当該携帯端末を充電器台上に立架状態または横臥状態で載置する際に、当該携帯端末の表面または背面のいずれの面を正面または上に向けて充電器台上に載置しても充電が可能な構造を備えていることを主要な特徴としている。つまり、直方体形状の携帯端末の各矩形形状の外壁面のうち、表面積が広く、ユーザが使用する液晶表示装置や操作キー等のいずれかを少なくとも含む部材が配置されて、ユーザ向け機能配置用の外壁面を形成している、表面または背面のいずれかの外壁面を、正面または上に向けて、充電器台の矩形形状の載置溝の底面に載置して、携帯端末の充電端子配置外壁面となる底面に備えた充電端子を介して、充電することが可能であり、かつ、携帯端末の表面または背面の向きを逆にして、反対側の外壁面を、正面または上に向けて載置しても、充電することが可能であることを特徴としている。
【００２３】
而して、携帯端末の向きを気にすることなく、携帯端末を充電器台上に載置するだけで充電することができるので、ユーザの利便性を向上させることが可能になるという効果が得られる。
【００２４】
なお、携帯端末として、厚さが薄い直方体形状の筐体構造を有する携帯端末とすることにより、携帯端末を立架した状態で充電器台に載置した場合には、より狭い面積となる底面側を充電器台上に載置することになるので、充電器台を小型化することができ、また、携帯端末を横臥した状態で充電器台に載置した場合には、携帯端末の厚さが薄いので、充電器台の厚さを薄くすることができる。
【００２５】
かくのごとき本発明の特徴を、より具体的に説明すると、次の通りである。例えば厚さが薄い直方体形状の筐体構造を有する携帯電話機等の携帯端末の充電端子を、多端子構成の充電端子の一例として、例えば３端子構成とし、携帯端末の充電端子配置外壁面を形成する面積が狭い底面上に、３個の充電端子を配置する構造とする。
【００２６】
さらに、携帯端末の底面上の３個の充電端子の配置位置は、該底面の中心に第１の極性（プラス（＋）またはマイナス（−））を形成する第１の充電端子を配置し、該底面の中心すなわち該第１の充電端子の中心から見て、底面の長手方向（横幅方向）の互いにシンメトリックな位置に第１の極性とは異なる第２の極性（マイナス（−）またはプラス（＋））を形成する２個の第２、第３の充電端子をそれぞれ配置する構造とする。一方、充電器台側の３個の充電端子の配置位置として、携帯端末を載置した際に、携帯端末の底面に配置されている３個の充電端子それぞれと当接する位置に同一の極性の充電端子が配置されている構造とする。
【００２７】
ここで、携帯端末の底面の中心に配置する第１の充電端子が形成する第１の電極の極性は、例えば、プラス（＋）とした場合、該第１の充電端子から見て携帯端末の底面の長手方向の互いにシンメトリックな位置に配置する第２、第３の充電端子が形成する第２の電極の極性は、いずれも、マイナス（−）とする。
【００２８】
（本発明の実施形態の構成例）
次に、本発明の実施形態として、携帯端末の一例である携帯電話機の充電端子の構成について、現状の携帯電話機１０ａとして前述した場合と同様、折り畳み式の携帯電話機を用いている場合を例にとって、その一例を図１ないし図３に基づいて説明する。なお、以下の説明においては、充電端子の多端子構成として、第１の極性を有する１個の充電端子（第１の充電端子）と、第２の極性を有する２個の充電端子（第２、第３の充電端子）とからなり、３個の充電端子を備えた３端子構成の場合について説明する。
【００２９】
ここに、図１は、本発明に係る携帯端末の一例である携帯電話機の充電端子の配置の一例を示す模式図であり、薄い厚さからなる直方体形状の筐体構造を有する携帯電話機の底面に３端子構成の充電端子を配置している様子を示している。また、図２は、図１に示す携帯電話機の一例として、折り畳み式携帯電話機の構造を示す模式図であり、図２（Ａ）は、折り畳み式携帯電話機の側面を示す側面図を示し、図２（Ｂ）は、折り畳み式携帯電話機を斜め右上方向から俯瞰した携帯電話機の鳥瞰図を示している。また、図３は、図２に示す折り畳み式携帯電話機を充電器台に載置した際の折り畳み式携帯電話機と充電器台との位置関係を説明するための説明図であり、図３（Ａ）は、蓋部を折り畳んだ状態で充電器台に載置した折り畳み式携帯電話機の蓋部の背面方向から眺めた正面図を示し、図３（Ｂ）は、充電器台に載置した折り畳み式携帯電話機の側面方向から眺めた側面図を示している。
【００３０】
つまり、本実施形態における携帯電話機１０は、図２（Ａ）に示すように、本体部１と蓋部２との２つの筐体がヒンジ２５を介して回動自在な構成からなっている折り畳み式の構造を有している。本体部１には、図９の現状の携帯電話機１０ａの場合の２端子構成とは異なり、３端子構成からなる充電端子１１〜１３を底面３に備えるとともに、バッテリー１４、ＰＷＢ（Printed Wiring Board：プリント配線基板）１５、アンテナ１６、カメラ１７、マイク１８、キー１９を少なくとも備えている。一方、蓋部２には、背面ＬＣＤ（Liquid Crystal Display：液晶表示装置）２１、スピーカ２２、正面ＬＣＤ２３、レシーバ２４を少なくとも備えている。
【００３１】
また、図２（Ｂ）に示すように、３端子構成からなる充電端子１１〜１３は、厚さが薄い直方体形状の携帯電話機１０の本体部１の各外壁面のうち表面積が少ない底面３（充電端子配置外壁面を形成する外壁面）に配置されており、さらに、本体部１の側面の下側（底面寄り）には、充電器台に載置する際の位置決めを行い、ガイドするための筐体呼び込み凹部４が形成されている。
【００３２】
図２に示す折り畳み式の携帯電話機１０の本体部１の充電端子配置外壁面を形成する底面３には、図１に示すように、３端子構成の充電端子として、電極の極性が例えばプラス（＋）の１個の充電端子１１と電極の極性が例えばマイナス（−）の２個の充電端子１２，１３とが配置されている。
【００３３】
ここで、携帯電話機１０の本体部１の底面３の厚さ（短手方向の幅）をＨ、底面３の横幅（長手方向の幅）をＬとし、充電端子１１，１２，１３の電極のサイズをいずれも縦（厚み方向）をＹＡ１、横（長手方向）をＸＡ１とした場合、図１に示すように、電極の極性がプラス（＋）の充電端子１１と電極の極性がマイナス（−）の充電端子１２，１３とは、携帯電話機１０の本体部１の底面３の厚み方向（短手方向）に関しては、それぞれの中心が、厚さＨの（１／２）の中央の位置にあり、本体部１ａの底面３ａの厚み方向（短手方向）の上下それぞれの端部から、いずれも、Ｙ１の距離に、充電端子１１，１２，１３の下側・上側の端部が位置している。つまり、
Ｈ＝２・Ｙ１＋ＹＡ１
の関係にある。
【００３４】
一方、充電端子１１，１２，１３それぞれの携帯電話機１０の本体部１の底面３の横方向（長手方向）に関しては、電極の極性がプラス（＋）の充電端子１１は、その中心が、底面３の横幅Ｌの（１／２）の中央の位置にあり、電極の極性がマイナス（−）の充電端子１２，１３は、電極の極性がプラス（＋）の充電端子１１の中心に対して、横方向（長手方向）で互いにシンメトリックな位置関係になるように、充電端子１２，１３の内側の端部が、充電端子１１の横方向（長手方向）の左右の端部からそれぞれＸ２の等距離に位置しており、充電端子１２，１３の外側の端部が、底面３の横方向（長手方向）の左右それぞれの端部から、いずれも、Ｘ１の距離に位置している。つまり、
Ｌ＝２・Ｘ１＋３・ＸＡ１＋２・Ｘ２
の関係にある。
【００３５】
図１に示すようなプラス（＋）の極性の１個の充電端子１１とマイナス（−）の極性の２個の充電端子１２，１３との３端子構成の充電端子を底面３に備えた携帯電話機１０に内蔵のバッテリー１４を充電するために、携帯電話機１０を充電器台５０に載置する場合、携帯電話機１０と充電器台５０とは、互いに、極性が一致する電極の充電端子同士が密着して当接するように、図３に示すような位置関係にすることが必要である。
【００３６】
このため、図３（Ａ１）の正面図に示すように、折り畳み式の携帯電話機１０の蓋部２を本体部１側に閉じ、かつ、蓋部２の背面側の背面ＬＣＤ（Liquid Crystal Display）２１を正面に向けた状態（つまり０度の回転状態）で、携帯電話機１０の本体部１の側面に備えた筐体呼び込み凹部４を充電器台５０の載置溝の側面に形成されている筐体呼び込み凸部５４に沿うように嵌め込んでいくことにより、携帯電話機１０が立架した状態で、その底面３を充電器台５０の載置溝の底面に当接させる。
【００３７】
かくのごとく、背面ＬＣＤ２１を正面に向けた状態（つまり０度の回転状態）で、携帯電話機１０を充電器台５０に載置することによって、携帯電話機１０の本体部１の底面３の中心に配置されている例えばプラス（＋）極性の充電端子１１と、充電器台５０の載置溝の底面の中心に配置されている、充電端子１１と同一極性の例えばプラス（＋）極性の充電端子５１とが当接し、充電端子１１とは異なる極性の例えばマイナス（−）極性の２個の充電端子１２，１３は、充電器台５０の底面３の載置溝の横方向（長手方向）に配置されている、充電端子１２，１３と同一極性の例えばマイナス（−）極性の２個の充電端子５２，５３とそれぞれ当接する状態になる。
【００３８】
さらに、図３（Ａ２）の正面図に示すように、折り畳み式の携帯電話機１０の蓋部２を本体部１側に閉じ、かつ、本体部１の背面側のカメラ１７を正面に向けた状態（つまり図３（Ａ１）の状態から１８０度回転した状態）で、携帯電話機１０の本体部１の側面に備えた筐体呼び込み凹部４を充電器台５０の載置溝の側面に形成されている筐体呼び込み凸部５４に沿うように嵌め込んでいくことにより、携帯電話機１０が立架した状態で、その底面３を充電器台５０の載置溝の底面に当接させることもできる。
【００３９】
かくのごとく、カメラ１７を正面に向けた状態（つまり１８０度回転した状態）であっても、携帯電話機１０を充電器台５０に載置することによって、携帯電話機１０の本体部１の底面３の中心に配置されている例えばプラス（＋）極性の充電端子１１と、充電器台５０の載置溝の底面の中心に配置されている、充電端子１１と同一極性の例えばプラス（＋）極性の充電端子５１とが当接し、充電端子１１とは異なる極性の例えばマイナス（−）極性の２個の充電端子１２，１３は、充電器台５０の載置溝の横方向（長手方向）に配置されている、充電端子１２，１３と同一極性の例えばマイナス（−）極性の２個の充電端子５３，５２とそれぞれ当接する状態になる。
【００４０】
而して、図３（Ａ１）のように、折り畳み式の携帯電話機１０の蓋部２側を正面に向けた状態で充電器台５０に載置しても、図３（Ａ２）のように、１８０度回転させて、折り畳み式の携帯電話機１０の本体部１側を正面に向けた状態で充電器台５０に載置しても、つまり、携帯電話機１０のユーザ向け機能が一般に配置されているユーザ向け機能配置用外壁面を形成する表面側、背面側のいずれを正面に向けて充電器台５０に載置しても、携帯電話機１０のプラス（＋）極性の充電端子１１と充電器台５０のプラス（＋）極性の充電端子５１とが当接し、携帯電話機１０のマイナス（−）極性の充電端子１２，１３が、充電器台５０のマイナス（−）極性の充電端子５２，５３または充電端子５３，５２に、それぞれ当接した状態になるので、携帯電話機１０のバッテリー１４を充電することができる。
【００４１】
なお、図３（Ｂ）の側面図に示すように、折り畳み式の携帯電話機１０はヒンジ２５を介して蓋部２を本体部１側に回動させて閉じた状態にした場合に、図３（Ｂ１）のように携帯電話機１０の蓋部２の背面ＬＣＤ２１側を正面に向けた状態（０度の回転状態）または図３（Ｂ２）のように携帯電話機１０の本体部１のカメラ１７側を正面に向けた状態（１８０度の回転状態）のいずれの状態であっても、携帯電話機１０の一部（または全て）を充電器台５０の載置溝に嵌め込んで載置することができるように、充電器台５０の載置溝の厚み方向（短手方向）の溝幅を、次のように形成している。
【００４２】
すなわち、携帯電話機１０の表面、背面のいずれを正面に向けても載置することができるように、充電器台５０の載置溝は、本体部１の筐体呼び込み凹部４と嵌合する筐体呼び込み凸部５４を中心にして、前後の厚み方向（短手方向）に、それぞれ、携帯電話機１０の本体部１の厚さＨの（１／２）に携帯電話機１０の蓋部２の厚さＨ１を加えた幅を超える溝幅つまり（Ｈ／２＋Ｈ１）を超える溝幅を有している。つまり、充電器台５０の載置溝の短手方向の溝幅は、合計（Ｈ＋２・Ｈ１）を超える幅となるように形成される。而して、携帯電話機１０を充電器台５０に載置した状態では、携帯電話機１０の本体部１の底面３に配置された充電端子１１，１２，１３のそれぞれと充電器台５０の載置溝の底面に配置された充電端子５１，５２，５３または充電端子５１，５３，５２とが確実に密着して当接した状態になる。
【００４３】
以上の説明においては、３端子構成の充電端子１１，１２，１３のうち、携帯電話機１０の底面３の中心に配置する第１の充電端子を極性がプラス（＋）の充電端子１１とし、第１の充電端子の充電端子１１の中心から見て、底面３の横幅方向（長手方向）のシンメトリックな位置に、第２、第３の充電端子として、極性がマイナス（−）の充電端子１２，１３を配置する例を説明したが、場合によっては、極性を逆にして、底面３の中心に配置する第１の充電端子を極性がマイナス（−）の充電端子とし、底面３の横幅方向（長手方向）のシンメトリックな位置に配置する第２、第３の充電端子を極性がプラス（＋）の充電端子としても良い。
【００４４】
なお、本発明に係る携帯端末の一例である携帯電話機は、本体部１と蓋部２とをヒンジ２５を介して回動自在に結合した図２に示すような折り畳み式の携帯電話機の代わりに、図４に示すように、ユーザ向け機能配置用外壁面を形成する表面側と背面側との双方に、ユーザが指定した情報を画面表示することができる第１のＬＣＤ（１ｓｔ  Liquid Crystal Display）、第２のＬＣＤ（２ｎｄ  Liquid
Crystal Display）をそれぞれ配置した構成とし、さらには、厚さが薄い直方体形状の筐体構造を有するような携帯電話機としても良い。図４は、本発明に係る携帯端末の他の例として図２とは異なる例の携帯電話機の構造を示す模式図であり、表面側と背面側との双方に液晶表示装置（ＬＣＤ）をそれぞれ備えたいわゆる両画面構成の携帯電話機の構造を示している。
【００４５】
図４において、図４（Ａ）は、両画面構成の携帯電話機１０Ｚの側面図であり、表面側に第１のＬＣＤ２１Ｚを備え、背面側に第２のＬＣＤ２３Ａを備えており、側面の底部（下側）には、充電器台５０に載置する際の位置決め用の筐体呼び込み凹部４Ｚが穿設され、底面３Ｚには、図１ないし図３に前述した場合と同様、１個のプラス（＋）極性の充電端子１１Ｚと２個のマイナス（−）極性の充電端子１２Ｚ，１３Ｚとの合計３個の充電端子からなる３端子構成の充電端子が配置されている様子を示している。また、図４（Ｂ）は、第１のＬＣＤ２１Ｚが配置された両画面構成の携帯電話機１０Ｚの表面側を鳥瞰した鳥瞰図であり、図４（Ｃ）は、第２のＬＣＤ２３Ｚが配置された両画面構成の携帯電話機１０Ｚの背面側を鳥瞰した鳥瞰図であり、図４（Ｄ）は、３端子構成の充電端子１１Ｚ〜１３Ｚが配置された両画面構成の携帯電話機１０Ｚの底面３Ｚ側を鳥瞰した鳥瞰図である。
【００４６】
図４に示すような両画面構成の携帯電話機１０Ｚの底面３Ｚに備える３端子構成の充電端子１１Ｚ〜１３Ｚの配置を、図１に前述した充電端子１１〜１３の場合と同様、プラス（＋）極性の充電端子１１Ｚの中心を、底面３Ｚの中央に配置し、２個のマイナス（−）極性の充電端子１２Ｚ，１３Ｚを、充電端子１１Ｚの中心から見て、底面３Ｚの横幅方向（長手方向）の互いにシンメトリックな位置に配置することにより、図３に示した充電器台５０の場合と同様、第１のＬＣＤ２１Ｚを備えた表面側を正面に向けた状態（０度の回転状態）であっても、第２のＬＣＤ２３Ｚを備えた背面側を正面に向けた状態（１８０度回転した状態）であっても、図３の充電器台５０と同様の３端子構成からなる充電器台に載置して、内蔵のバッテリーを充電することができる。
【００４７】
図５は、図４に示す両画面構成の携帯電話機１０Ｚを充電器台に載置した際の携帯電話機１０Ｚと充電器台との位置関係を説明するための説明図であり、図５（Ａ）は、携帯電話機１０Ｚの表面側を正面に向けて充電器台５０Ｚに載置した状態（０度の回転状態）の正面図を示し、図５（Ｂ）は、携帯電話機１０Ｚの背面側を正面に向けて充電器台５０Ｚに載置した状態（１８０度回転した状態）の正面図を示している。
【００４８】
図５（Ａ）に示すように、携帯電話機１０Ｚの表面側の第１のＬＣＤ２１Ｚを正面に向けた状態（つまり０度の回転状態）で、携帯電話機１０Ｚの側面に備えた筐体呼び込み凹部４Ｚを充電器台５０Ｚの載置溝の側面に形成されている筐体呼び込み凸部５４Ｚに沿うように嵌め込んでいくことにより、携帯電話機１０Ｚが立架した状態で、その底面３Ｚを充電器台５０Ｚの載置溝の底面に当接させる。
【００４９】
かくのごとく、第１のＬＣＤ２１Ｚを正面に向けた状態（つまり０度の回転状態）で、携帯電話機１０Ｚを充電器台５０Ｚに載置することによって、携帯電話機１０Ｚの底面３Ｚの中心に配置されているプラス（＋）極性の充電端子１１Ｚと充電器台５０Ｚの載置溝の底面の中心に配置されているプラス（＋）極性の充電端子５１Ｚとが当接し、マイナス（−）極性の２個の充電端子１２Ｚ，１３Ｚは、充電器台５０Ｚの載置溝の底面の横方向（長手方向）に配置されているマイナス（−）極性の２個の充電端子５２Ｚ，５３Ｚとそれぞれ当接する状態になる。
【００５０】
さらに、図５（Ｂ）の正面図に示すように、折り畳み式の携帯電話機１０Ｚの背面側の第２のＬＣＤ２３Ｚを正面に向けた状態（つまり図５（Ａ）の状態から１８０度回転した状態）で、携帯電話機１０Ｚの側面に備えた筐体呼び込み凹部４Ｚを充電器台５０Ｚの載置溝の側面に形成されている筐体呼び込み凸部５４Ｚに沿うように嵌め込んでいくことにより、携帯電話機１０Ｚが立架した状態で、その底面３Ｚを充電器台５０Ｚの載置溝の底面に当接させることもできる。
【００５１】
かくのごとく、第２のＬＣＤ２３Ｚを正面に向けた状態（つまり１８０度回転した状態）であっても、携帯電話機１０Ｚを充電器台５０Ｚに載置することによって、携帯電話機１０Ｚの底面３Ｚの中心に配置されているプラス（＋）極性の充電端子１１Ｚと充電器台５０Ｚの載置溝の底面の中心に配置されているプラス（＋）極性の電極の充電端子５１Ｚとが当接し、マイナス（−）極性の２個の充電端子１２Ｚ，１３Ｚは、充電器台５０Ｚの載置溝の底面の横方向（長手方向）に配置されているマイナス（−）極性の電極の２個の充電端子５３Ｚ，５２Ｚとそれぞれ当接する状態になる。
【００５２】
而して、図５（Ａ）のように、折り畳み式の携帯電話機１０Ｚの表面側を正面に向けた状態で充電器台５０Ｚに載置しても、図５（Ｂ）のように、１８０度回転させて、折り畳み式の携帯電話機１０の背面側を正面に向けた状態で充電器台５０Ｚに載置しても、携帯電話機１０Ｚのプラス（＋）極性の充電端子１１Ｚと充電器台５０Ｚのプラス（＋）極性の充電端子５１Ｚとが当接し、携帯電話機１０Ｚのマイナス（−）極性の充電端子１２Ｚ，１３Ｚが、充電器台５０Ｚのマイナス（−）極性の充電端子５２Ｚ，５３Ｚまたは充電端子５３Ｚ，５２Ｚに、それぞれ当接した状態になるので、携帯電話機１０Ｚのバッテリーを充電することができる。
【００５３】
かくのごとき両画面構成の携帯電話機１０Ｚにおいては、充電器台５０Ｚに載置して充電しながら、第１のＬＣＤ２１Ｚ、第２のＬＣＤ２３Ｚのうちいずれか一方のＬＣＤ画面には、例えば、テレビの動画を再生しつつ、他方のＬＣＤ画面では、例えば、メ−ル内容を画面表示することも可能であり、ユーザが利用するＬＣＤ画面を正面にした状態で充電器台５０Ｚに載置して、充電しながら、ユーザはＬＣＤ画面の表示内容を確認することができる。
【００５４】
以上に説明した実施形態においては、本発明の携帯端末の一例である携帯電話機１０，１０Ｚのバッテリー１４を充電器台５０，５０Ｚに載置して充電する際に、図３、図５に示すように、携帯電話機１０，１０Ｚを立架した状態で充電器台５０，５０Ｚの載置溝に載置するようにしたが、本発明は、かかる場合に限るものではない。すなわち、例えば、本発明の携帯端末例えば携帯電話機を横臥させた状態で充電器台の載置溝に載置するようにし、携帯端末例えば携帯電話機の底面に配置されている３端子構成の充電端子を、充電器台の載置溝の側面に配置されている３端子構成の充電端子に密着する形で当接するようにしても良い。また、携帯端末の充電端子が３端子構成の場合について説明したが、本発明は、かかる場合に限るものではなく、携帯端末の表面側、背面側のいずれを正面に向けて載置しても充電が可能なように、同一極性の充電端子を充電端子配置外壁面例えば底面の中心に対して互いにシンメトリックな位置に配置するようにすれば、４端子や５端子等の多端子構成の充電端子を備えるようにしても良い。
【００５５】
次に、本発明に係る携帯端末の一例として図１、図２に例示した携帯電話機１０のバッテリー（電池パック）１４を充電する仕組みについて、図６、図７、図８を用いて説明する。なお、ここでは説明を省略するが、図４、図５に示す両画面構成の携帯電話機１０Ｚの場合も、同様の仕組みを用いて、内蔵のバッテリーを充電することができる。まず、図６を用いて、折り畳み式の携帯電話機１０の内部構成について説明する。図６は、図１、図２に示す携帯電話機１０の内部構成の一例を示すブロック構成図であり、図２の携帯電話機１０に記載の部位と同じ部位には、図２と同じ符号を付して示している。
【００５６】
図６に示すように、折り畳み式の携帯電話機１０は、図２の本体部１に配置されている３端子構成の充電端子１１，１２，１３、バッテリー１４、ＰＷＢ１５、アンテナ１６、カメラ１７、マイク１８、キー１９、および、蓋部２に配置されている背面ＬＣＤ２１、スピーカ２２、正面ＬＣＤ２３、レシーバ２４を少なくとも備え、さらに、場合によっては、バイブレータ２７、ＧＰＳ（Global Positioning System）２８、デジタルテレビ（ＤＴＶ：Digital Television）２９を追加して備えるようにしても良い。
【００５７】
また、ＰＷＢ１５は、アンテナ１６を介して送受信される無線信号を処理する無線処理部１５１、全体の各ブロックを制御するためのＢＢ（Basic Board）１５２、各種情報を蓄積するメモリ１５５、バッテリー１４からの電力の各ブロックへの供給を制御する各ブロックレギュレータ１５６、充電器台５０から充電端子１１〜１３を介してバッテリー１４を充電するための動作を制御する充電制御ＩＣ１５７を少なくとも搭載し、ＢＢ１５２には、ＣＰＵ１５３、演算回路（ＬＯＧＩＣ）１５４が搭載されている。
【００５８】
図７は、図６に示す携帯電話機１０の充電制御ＩＣ１５７の内部構成の一例を示すブロック構成図であり、現状の携帯電話機１０ａに搭載されている充電制御ＩＣと略同一の構成からなっている。図７に示すように、充電制御ＩＣ１５７は、Ｐ−ＭＯＳトランジスタ１６１、ゲート制御部１６２、電圧モニタ部１６３、電流モニタ部１６４、温度モニタ部１６５、充電電流ＩＣＨＧ設定回路１６６を少なくとも備えて構成されている。
【００５９】
Ｐ−ＭＯＳトランジスタ１６１は、交流電源から充電器台５０内のＡＣアダプタ（ＡＣＡＤＰ）５９を経由して直流電流の充電電流に変換されて、充電端子１１から入力されてくる充電電流をゲート制御部１６２からのゲート信号に基づいてオン・オフするためのスイッチング素子であり、Ｐ−ＭＯＳトランジスタ１６１のソース端子は、プラス（＋）極性の充電端子１１を介して、充電器台５０の充電端子５１を経由してＡＣアダプタ５９と接続され、Ｐ−ＭＯＳトランジスタ１６１のドレイン端子は、抵抗Ｒ０を介してバッテリー１４と接続されており、充電電流ＩＣＨＧ設定回路１６６によって設定された電流値（例えば８００ｍＡ）の充電電流ＩＣＨＧをバッテリー１４に供給するように構成している。
【００６０】
ゲート制御部１６２は、Ｐ−ＭＯＳトランジスタ１６１のドレイン端子の電圧をモニタしている電圧モニタ部１６３、抵抗Ｒ０に流れる電流をモニタしている電流モニタ部１６４、バッテリー１４の温度をモニタしている温度モニタ部１６５それぞれの出力に基づいて、Ｐ−ＭＯＳトランジスタ１６１のゲート端子へのゲート電位を生成する回路であり、該ゲート電位に基づいて、Ｐ−ＭＯＳトランジスタ１６１はオン・オフの切り替え動作を行う。かかる制御により、満充電の状態（例えば、電流容量８００ｍＡｈ）になるまで、Ｐ−ＭＯＳトランジスタ１６１はオン状態を継続して、バッテリー１４には充電電流ＩＣＨＧ設定回路１６６が設定した充電電流ＩＣＨＧが供給され、しかる後、バッテリー１４が満充電の状態になったことを温度モニタ部１６５によって検知すると、Ｐ−ＭＯＳトランジスタ１６１はオン状態からオフ状態に切り替わって、バッテリー１４への充電電流ＩＣＨＧの供給が停止する。
【００６１】
図８は、携帯電話機１０のバッテリー１４へ供給する充電電流特性の一例を示す特性図であり、充電制御ＩＣ１５７によって、バッテリー１４へ供給する充電電流が制御される様子を示している。なお、図８は、横軸に充電時間Ｔを取り、バッテリー１４に供給する充電電流の変化の様子を実線で示し、また、バッテリー１４の電圧の変化の様子を破線で示している。また、図８に示す特性図においては、携帯電話機１０のバッテリー１４の電流容量を８００ｍＡｈと仮定し、バッテリー１４を急速に充電するために供給する充電電流を８００ｍＡと仮定している場合を示している。つまり、電流容量８００ｍＡｈのバッテリー１４を、８００ｍＡの充電電流によって充電することにより、目安として、約１時間で充電が完了するように設定していることになる。
【００６２】
図８において、時刻０から充電開始時刻Ｔ１に達するまでの予備充電期間においては、充電器台５０に載置された携帯電話機１０のバッテリー１４に異常が発生しているか否かを、バッテリー１４の電圧値に基づいて判定する。バッテリー１４の電圧値があらかじめ定めた閾値以下に低下していた場合は、充電開始時刻Ｔ１の時点で、充電電流ＩＣＨＧ設定回路１６６が設定した８００ｍＡの充電電流ＩＣＨＧをバッテリー１４に流す急速充電動作に移行する。以降、急速充電区間として、８００ｍＡという十分な充電電流ＩＣＨＧを継続してバッテリー１４に供給する状態になり、定電流特性の電流モードによる充電動作を行う。しかる後、時刻Ｔ２に達した時点において、バッテリーの電圧が満充電状態の４．２Ｖのごく近傍のあらかじめ定めた電圧値に到達したことを検出すると、急速充電区間を終了して、トリクル充電区間に移行し、充電モードを、定電流特性の電流モードから定電圧特性の電圧モードに切り替える。
【００６３】
定電圧特性の電圧モードにおいては、バッテリー１４の温度を監視することにより、バッテリー１４の満充電状態を監視し、充電完了時刻Ｔ３に達した時点で、満充電状態を示す温度に到達すると、充電完了と判定して、充電動作を停止する。かくのごとき充電動作を行うことにより、携帯電話機１０のバッテリー１４は、４．２Ｖの電圧値に精度良く充電することができる。
【００６４】
（実施形態の効果の説明）
以上に詳細に説明したように、本発明の実施形態によれば、次のような効果が得られる。
【００６５】
本発明の携帯端末の一例である携帯電話機１０の充電端子を充電端子１１，１２，１３からなる３端子構成とし、携帯電話機１０の充電端子配置外壁面を形成する底面３の中心に第１の充電端子１１の中心が一致するように配置し、かつ、底面３の中心に位置する第１の充電端子の中心から見て、底面３の横幅方向（長手方向）の互いにシンメトリックな位置に、それぞれ、第２，第３の充電端子１２，１３を配置する筐体構造とし、かつ、充電器台５０上の載置面（載置溝の底面）に配置する３端子構成の充電端子５１，５２，５３を、携帯電話機１０側の充電端子１１，１２，１３または充電端子１３，１２，１１の配列に合致させるように配置することにより、携帯電話機１０のバッテリー１４を充電するために、携帯電話機１０を充電器台５０に載置する際に、携帯電話機１０のユーザ向け機能配置用外壁面を形成する表面側、背面側のいずれを正面に向けて載置しても、バッテリー１４を充電することが可能になる。而して、携帯電話機１０の向きを気にすることなく、充電器台５０に載置して充電させることができ、ユーザの利便性を向上させることができる。
【００６６】
また、本発明の携帯端末の一例である携帯電話機に関する新しい携帯電話機の形態として、携帯電話機の表面側と背面側との両面に第１のＬＣＤ２１Ｚ，第２のＬＣＤ２３Ｚと２個の液晶表示装置（ＬＣＤ）を備えた両画面構成の携帯電話機１０Ｚを実現する場合においても、３端子構成の充電端子１１，１２，１３を、前述の携帯電話機１０の場合と同様の配列にして、当該携帯電話機１０Ｚの充電端子配置外壁面を形成する底面３Ｚに備える筐体構造とすることにより、当該携帯電話機１０Ｚのバッテリーを充電するために、前述の充電器台５０と同様の構造の充電器台５０Ｚに携帯電話機１０Ｚを載置する際に、携帯電話機１０Ｚのユーザ向け機能配置用外壁面を形成する表面側、背面側のいずれを正面に向けて載置しても、バッテリーを充電することができる。而して、携帯電話機１０Ｚの表面側の第１のＬＣＤ２１Ｚと背面側の第２のＬＣＤ２３Ｚの各液晶表示装置のうち、ユーザが使用する液晶表示装置を正面に向けた状態で充電器台５０Ｚに載置して充電することができ、両画面構成の携帯電話機１０Ｚのコンセプトとして、充電時における利用価値を付与することができる。
【００６７】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）前記充電端子が、第１の充電端子として前記第１の極性を有する１個の充電端子と第２、第３の充電端子として前記第２の極性を有する２個の充電端子との３端子構成であり、前記第１の充電端子の中心が、前記充電端子配置外壁面の中心に位置するように配置され、前記第２、第３の充電端子が、前記第１の充電端子の中心から見て、前記充電端子配置外壁面上の互いにシンメトリックな位置に配置されている上記（１）の携帯端末。
（３）前記筐体が、厚さが薄い直方体形状の筐体からなり、当該筐体を形成する各外壁面のうち、面積が狭い底面に、前記充電端子配置外壁面として、３端子構成の前記第１ないし第３の充電端子が配置され、該底面の中心に前記第１の充電端子の中心が配置され、前記第１の充電端子の中心から見て、該底面の長手方向の互いにシンメトリックな位置に前記第２、第３の充電端子を配置する上記（２）の携帯端末。
（４）前記筐体を形成する各外壁面のうち、面積が広い表面および背面は、ユーザ向け機能配置用外壁面として、ユーザが使用する液晶表示装置、操作キーのいずれかを少なくとも含む部材が配置されている上記（３）の携帯端末。
（５）前記筐体が、本体部と蓋部とからなり、該本体部と該蓋部とをヒンジにより回動自在な状態で連結した折り畳み式の構造からなる上記（３）または（４）の携帯端末。
（６）前記筐体を形成する各外壁面のうち、面積が広い表面および背面の双方に液晶表示装置を少なくとも備えた両画面構成の構造からなる上記（３）または（４）の携帯端末。
（７）内蔵の前記バッテリーを充電する充電器台に当該携帯端末を載置する際に、当該携帯端末を前記充電器台に立架した状態で載置するか、または、当該携帯端末を前記充電器台に横臥した状態で載置する上記（１）ないし（６）のいずれかの携帯端末。
（８）直方体形状の筐体を有する携帯端末に備えた充電端子を充電器台の充電端子と当接させることにより、前記携帯端末に内蔵のバッテリーを充電する仕組みを有する携帯端末充電システムであって、前記携帯端末は、当該携帯端末の筐体を形成する外壁面のいずれかの外壁面を、充電端子配置外壁面として、該充電端子配置外壁面に、前記充電端子を多端子構成にして配置し、かつ、前記充電端子が、第１の極性の充電端子と前記第１の極性とは異なる第２の極性の充電端子とからなり、同一極性の前記充電端子同士を前記充電端子配置外壁面の中心に対して互いにシンメトリックな位置に配置し、また、前記充電器台が、前記携帯端末を載置する載置面上に、前記携帯端末の前記充電端子配置外壁面に配置した前記充電端子それぞれと当接する位置にそれぞれの前記充電端子と同一極性の充電器台側充電端子を配置している携帯端末充電システム。
（９）前記携帯端末の前記充電端子が、第１の充電端子として前記第１の極性を有する１個の充電端子と第２、第３の充電端子として前記第２の極性を有する２個の充電端子との３端子構成であり、前記第１の充電端子の中心が、前記充電端子配置外壁面の中心に位置するように配置され、前記第２、第３の充電端子が、前記第１の充電端子の中心から見て、前記充電端子配置外壁面上の互いにシンメトリックな位置に配置されている上記（８）の携帯端末充電システム。
（１０）前記携帯端末の筐体が、厚さが薄い直方体形状の筐体からなり、当該筐体を形成する各外壁面のうち、面積が狭い底面に、前記充電端子配置外壁面として、３端子構成の前記第１ないし第３の充電端子が配置され、該底面の中心に前記第１の充電端子の中心が配置され、前記第１の充電端子の中心から見て、該底面の長手方向の互いにシンメトリックな位置に前記第２、第３の充電端子を配置する上記（９）の携帯端末充電システム。
（１１）前記充電器台に前記携帯端末を載置する際に、前記携帯端末を前記充電器台に立架した状態で載置するか、または、前記携帯端末を前記充電器台に横臥した状態で載置する上記（８）ないし（１０）のいずれかの携帯端末充電システム。
（１２）前記充電器台に前記携帯端末を載置する載置面が、前記携帯端末の一部または全てを嵌め込む載置溝からなっている上記（８）ないし（１１）のいずれかの携帯端末充電システム。
（１３）前記充電器台の前記載置溝の側面に、前記携帯端末の載置をガイドする筐体呼び込み凸部を備え、前記携帯端末の側面に前記筐体呼び込み凸部に嵌合する筐体呼び込み凹部を備えている上記（１２）の携帯端末充電システム。
（１４）直方体形状の筐体を有する携帯端末に備えた充電端子を充電器台の充電端子と当接させることにより、前記携帯端末に内蔵のバッテリーを充電する携帯端末充電方法であって、前記携帯端末は、当該携帯端末の筐体を形成する外壁面のいずれかの外壁面上に、充電端子配置外壁面として、前記充電端子を多端子構成にして配置し、かつ、同一極性の前記充電端子同士を前記充電端子配置外壁面の中心に対して互いにシンメトリックな位置に配置し、また、前記充電器台が、前記携帯端末を載置する載置面上に、前記携帯端末の前記充電端子配置外壁面に配置した前記充電端子それぞれと当接する位置にそれぞれの前記充電端子と同一極性の充電器台側充電端子を配置することにより、前記携帯端末の向きを変えて前記充電器台に載置しても前記バッテリーを充電することができる携帯端末充電方法。
【符号の説明】
【００６８】
１      本体部
１ａ    本体部
２      蓋部
２ａ    蓋部
３      底面
３ａ    底面
３Ｚ    底面
４      筐体呼び込み凹部
４ａ    筐体呼び込み凹部
４Ｚ    筐体呼び込み凹部
１０    携帯電話機
１０ａ  携帯電話機
１０Ｚ  携帯電話機
１１    充電端子
１１ａ  充電端子
１１Ｚ  充電端子
１２    充電端子
１２ａ  充電端子
１２Ｚ  充電端子
１３    充電端子
１３Ｚ  充電端子
１４    バッテリー
１５    ＰＷＢ（Printed Wiring Board：プリント配線基板）
１６    アンテナ
１７    カメラ
１８    マイク
１９    キー
２１    背面ＬＣＤ（Liquid Crystal Display：液晶表示装置）
２１Ｚ  第１のＬＣＤ（１ｓｔ  Liquid Crystal Display）
２２    スピーカ
２３    正面ＬＣＤ（Liquid Crystal Display：液晶表示装置）
２３Ｚ  第２のＬＣＤ（２ｎｄ  Liquid Crystal Display）
２４    レシーバ
２５    ヒンジ
２５ａ  ヒンジ
２７    バイブレータ
２８    ＧＰＳ（Global Positioning System）
２９    デジタルテレビＤＴＶ（Digital Television）
５０    充電器台
５０ａ  充電器台
５０Ｚ  充電器台
５１    充電端子
５１ａ  充電端子
５１Ｚ  充電端子
５２    充電端子
５２ａ  充電端子
５２Ｚ  充電端子
５３    充電端子
５３Ｚ  充電端子
５４    筐体呼び込み凸部
５４ａ  筐体呼び込み凸部
５４Ｚ  筐体呼び込み凸部
５９    ＡＣアダプタ（ＡＣ  ＡＤＰ）
１５１  無線処理部
１５２  ＢＢ（Basic Board）
１５３  ＣＰＵ
１５４  演算回路（ＬＯＧＩＣ）
１５５  メモリ
１５６  各ブロックレギュレータ
１５７  充電制御ＩＣ
１６１  Ｐ−ＭＯＳトランジスタ
１６２  ゲート制御部
１６３  電圧モニタ部
１６４  電流モニタ部
１６５  温度モニタ部
１６６  充電電流ＩＣＨＧ設定回路
【図１】
2011087059.tif 000003
【図２】
2011087059.tif 000004
【図３】
2011087059.tif 000005
【図４】
2011087059.tif 000006
【図５】
2011087059.tif 000007
【図６】
2011087059.tif 000008
【図７】
2011087059.tif 000009
【図８】
2011087059.tif 000010
【図９】
2011087059.tif 000011
【図１０】
2011087059.tif 000012